(57)【特許請求の範囲】
【請求項１】
内周面に壺孔の多数個を形成した回転する選別胴を横設し、この選別胴内の一端に混合米の供給部を、他端に籾の排出部を各々設ける一方、前記選別胴内に、玄米受樋を、当該玄米受樋が選別胴の軸線方向に延びるように配設し、この玄米受樋の左右両側のうち選別胴内に混合米の流動層が形成される部分に、選別胴の軸線方向に延びる感知板を、当該感知板に前記流動層が接触するように吊設して成る回転式選別装置において、前記感知板に、複数枚のリード板を、前記選別胴の円周方向に対して傾斜自在に設け、この各リード板における前記選別胴の円周方向に対する傾斜角度を、感知板における流動層の厚さが増大する方向への回動に応じて大きくするように構成したことを特徴とする回転式選別装置。
【発明の詳細な説明】
【０００１】
【発明の属する技術分野】
本発明は、内周面に壺孔の多数個を凹み形成した横向き回転式の選別胴内に玄米受樋を設けて成る回転式選別装置に関するものである。
【０００２】
【従来の技術と発明が解決しようとする課題】
一般に、籾すり部にて脱ぷした混合米からの玄米の選別には、前記した構成の回転式選別装置が使用されている。
そして、この回転式選別装置は、その選別胴内における一端に供給した混合米が、選別胴の回転によって或る高さまで持ち上げられたのち底まで落下する流動を繰り返しながら選別胴の他端まで移動する途中において、前記混合米中の玄米は、壺孔に嵌まった状態で籾よりも高い位置まで持ち上げられることを利用して、高い位置から落下する玄米を玄米受樋にて受けて取り出すものであるから、前記選別胴内における流動層の厚さを、供給側から排出側の全般にわたって略均一することが好ましい。
【０００３】
しかし、前記選別胴内に供給した混合米は、選別胴内を、流動しながら当該混合米中の玄米が玄米受樋に取り込れつつ供給側から排出側に向かって移送されることにより、当該混合米の流動層の厚さは、供給側において最も厚く、排出側に向かって次第に薄くなると言う傾向を呈するものであり、特に、含水率の高い混合米とか、未熟米の多い混合米等のように流れの悪い混合米の場合には、前記のように流動層の厚さが供給側において厚く排出側において薄くなる傾向は、一層増大することになるから、流動層が厚くなる供給側では、混合米がそのまま玄米受樋に入ると言うオーバーフローが発生する一方、流動層が薄くなる排出側では、流動層の厚さが薄いことで玄米と一緒に持ち上げられる籾の数が多くなることと、排出側では混合米の籾の比率が高くなることと相俟って、玄米受樋に入る籾が増大すると言う問題があった。
【０００４】
本発明は、この種の回転式選別装置においては、例えば、特公昭６２−３６７４８号公報等に記載されているように、選別胴内における供給側に、当該供給側における流動層の厚さを検出するための感知板が設けられていることに着目し、この感知板を利用して、選別胴内における混合米の流動層厚さの均一化を図ることによって、前記の問題を解消することをを技術課題とするものである。
【０００５】
【課題を解決するための手段】
この技術的課題を達成するため本発明は、
「内周面に壺孔の多数個を形成した回転する選別胴を横設し、この選別胴内の一端に混合米の供給部を、他端に籾の排出部を各々設ける一方、前記選別胴内に、玄米受樋を、当該玄米受樋が選別胴の軸線方向に延びるように配設し、この玄米受樋の左右両側のうち選別胴内に混合米の流動層が形成される部分に、選別胴の軸線方向に延びる感知板を、当該感知板に前記流動層が接触するように吊設して成る回転式選別装置において、前記感知板に、複数枚のリード板を、前記選別胴の円周方向に対して傾斜自在に設け、この各リード板における前記選別胴の円周方向に対する傾斜角度を、感知板における流動層の厚さが増大する方向への回動に応じて大きくする。」
と言う構成にした。
【０００６】
【発明の作用・効果】
この構成において、選別胴内の供給側に供給された混合米が、選別胴の回転により或る高さまで持ち上げられたのち選別胴の底まで落下するとき、感知板の外側面に接触すると、感知板は、流動層から逃げる方向に回動するから、流動層における混合米の流動状態を損なうことなく、感知板の回動により流動層の厚さを検出することができる。
【０００７】
この場合において、前記感知板に設けた各リード板は、選別胴内における混合米の流動層が薄いときには、選別胴の円周方向に対する傾斜角度が小さいか、傾斜角度が殆どない状態になっているから、選別胴内で流動する混合米は、この各リード板によって排出側に送られることは殆どないが、流動層の厚さの増大に追従して前記感知板が流動層の厚さが増大する方向に回動すると、これに設けた各リード板は、選別胴の円周方向に対する傾斜角度が大きくなるように作動するから、選別胴内で流動する混合米は、前記各リード板により、供給側から排出側に速やかに送られることになる。
【０００８】
つまり、供給側における流動層の厚さが薄い状態では、各リード板による排出側への移送を小さくして、混合米を溜めるようにし、供給側における流動層の厚さが厚くなると、感知板における各リード板の傾斜角度が大きくなることにより、混合米を、この各リード板にて積極的に排出側に移行することができるから、混合米が、含水率の高い混合米とか、未熟米の多い混合米等のように流れの悪い場合であっても、供給側における流動層の厚さを薄く、排出側における流動層の厚さを厚くするように均すことができるのである。
【０００９】
従って、本発明によると、選別作業の開始に際しては、選別胴内に混合米を早く溜めることができるから、正常な選別状態に入るまでの時間を短縮できる一方、選別作業中においては、選別胴内における流動層の厚さを平均化することができるから、玄米の選別精度及び選別能力を確実に向上できる効果を有する。
【００１０】
【発明の実施の形態】
以下、本発明の実施の形態を、籾すり選別機に適用した場合の第１実施例を示す図１〜図７の図面について説明する。
図１は、籾すり選別機の縦断正面図であり、この籾すり選別機は、風選箱１と、この風選箱１の一端部の上面に着脱可能に載せた籾すり部２と、前記風選箱１の他端部の上面に着脱可能に載せた回転式選別装置３とで構成されている。
【００１１】
前記籾すり部２は、左右一対の脱ぷロール４と籾供給ホッパー５とを備えると共に、リードローラ６と回動式の籾供給調節弁７とを備えている。
また、前記風選箱１の内部には、前記籾すり部２で脱ぷした混合米を風選するための混合米風選部８と、前記回転式選別装置３が選別した玄米を風選するための玄米風選部９とを備えると共に、一つの送風フアン１０と一つの排塵フアン１１とを備えている。
【００１２】
一方、前記回転式選別装置３は、箱型のカバーケース１２内に横設した選別胴１３を備え、この選別胴１３は、その両端部を、前記カバーケース１２内の底部に平行に軸支した二本の横軸１４，１５上のローラ１６，１７に載せることにより、回転自在に支持され、且つ、その内面には、玄米が嵌まる壺孔１８の多数個が凹み形成されており、更に、この選別胴１３は、前記一方の横軸１４に前記籾すり部２からベルト１９を介して回転伝達することにより、矢印Ａで示す方向に適宜速度で回転するように構成されている。
【００１３】
この場合において、前記両横軸１４，１５は、カバーケース１２における前側板１２ａと、後側板１２ｂとに軸支されている。
前記選別胴１３における前記籾すり部２側の一端部内面には、堰板２０を円周方向にリング状に延びるように設け、この堰板２０の外側に、複数枚の掬い羽根を円周方向に適宜ピッチの間隔で備えて成る掬い上げ部材２１を設け、選別胴１３の回転により前記掬い上げ部材２１にて上方にまで掬い上げた混合米を、シュート２２を介して前記籾すり部２における籾供給ホッパー５に還元するように構成されている。
【００１４】
前記選別胴１３内には、カバーケース１２に支持した玄米受樋２３と、同じくカバーケース１２に支持した混合米受樋２４とを、これら両受樋２３，２４が選別胴１３の軸線方向に延びるように配設されている。
この場合において、前記両受樋２３，２４は、前記カバーケース１２における前側板１２ａに対して一端が固着され、この両受樋２３，２４の他端間は、連結板４１にて互いに連結されている。また、前記玄米受樋２３における左右両側板２３ａ，２３ｂのうち混合米の持ち上げ側の側板２３ａの上端には、玄米受樋２３の長手方向に延びる仕上げ調節板３８が、支持軸３９にて選別胴１３の円周方向に回動自在に装着され、また、反対側の側板２３ｂには、玄米受樋２３の長手方向に延びる玄米受け板４２が、支持軸４３にて選別胴１３の回転と逆方向に回動するように枢着されている。
【００１５】
前記混合米受樋２４のうち前記籾すり部２側の一端部内に、前記風選箱１における混合米風選部８で風選したあとの混合米を揚穀機構２５にて移送し、次いで、この混合米を、混合米受樋２４内の螺旋コンベヤ２６にて前記籾すり部２とは反対側の他端部まで移送したのち、混合米受樋２４に設けた供給口２７から前記選別胴１３内における供給側に供給するように構成されている。
【００１６】
一方、前記玄米受樋２３内に入った玄米は、当該玄米受樋２３内の螺旋コンベヤ２８にて前記籾すり部２側に移送されたのち、シュート２９を介して前記風選箱１における玄米風選部９に送られるように構成されている。
そして、前記選別胴１３内には、前記玄米受樋２３及び混合米受樋２４の左右両側のうち選別胴１３内に混合米の流動層が形成される部分に、一本のセンサー軸３１を、選別胴１３の軸線方向に延びるように配設して、このセンサー軸３１の両端を、前記カバーケース１２における前側板１２ａ及び後側板１２ｂに回転自在に軸支し、更に、このセンサー軸３１のうち前記混合米受樋２４における供給口２７に該当する部分に、選別胴１３の軸線方向に延びる感知板３０を吊設して、この感知板３０の外側面を、選別胴１３内における混合米の流動層に接触するように構成する。
【００１７】
符号３２は、前記感知板３０が取付くセンサー軸３１に対するポテンションメータ３３からの信号を入力として、前記籾すり部２における籾供給調節弁７をアクチェータ３４にて開閉作動するための制御回路である。
すなわち、この制御回路３２は、前記感知板３０が適正値の流動層の厚さを検出しているときには、前記籾供給調節弁７を開閉作動しないが、感知板３０が適正値より厚い流動層厚さを検出すると前記籾供給調節弁７を閉作動し、また、感知板３０が適正値より薄い流動層厚さを検出すると前記籾供給調節弁７を開作動する。
【００１８】
そして、前記感知板３０の外側面には、図４〜図６に示すように、複数枚のリード板３５を配設し、この各リード板３５を、その下端を前記感知板３０に対して回転自在にピン３５ａにて枢着することにより、選別胴１３の円周方向に対して自在に傾斜できるように構成し、更に、この各リード板３５の上端に設けたピン３５ｂを、感知板３０に穿設した円弧状孔３０ａより感知板３０の裏面に突出したのち連動杆３６ａに係合する一方、この連動杆３６ａを、感知板３０に枢着したベルクランクレバー３６ｂ及びリンク３６ｃを介して前記混合米受樋２４又は玄米受樋２３に連結することにより、前記感知板３０の内向き方向への回動により、前記各リード板３５が、その選別胴１３の円周方向に対する傾斜角度が増大する方向に回動するように構成する。
【００１９】
この構成において、籾すり部２における籾供給ホッパー５に籾を供給すると、この籾は籾すり部２にて脱ぷ処理され、脱ぷされたた混合米は、混合米風選部８にて籾殻が除かれるように風選されたのち、揚穀機構２５にて混合米受樋２４に移送され、この混合米受樋２４における供給口２７から選別胴１３内における供給側に供給される。
【００２０】
このようにして選別胴１３内の供給側に供給された混合米は、選別胴１３の回転により或る高さまで持ち上げたのち底に落下すると言う流動を繰り返しながら排出側に向かって移送される途中において、混合米中の玄米は、壺孔１８に嵌まって高い位置まで持ち上げられたのち落下することにより、玄米受樋２３内に入るように選別され、残りの混合米は、堰板２０を乗り越え、掬い上げ部材２１に持ち上げられたのち、シュート２２を介して前記籾すり部２における籾供給ホッパー５に還元されて、再度、脱ぷ処理される。
【００２１】
一方、前記玄米受樋２３内に入った玄米は、玄米受樋２３からシュート２９を介して前記風選箱１における玄米風選部９に送られ、ここで仕上げ風選されたのち、揚穀機構３７にて機外に取り出される。
そして、前記籾すり部２における籾供給調節弁７は、前記感知弁３０が選別胴１３内の供給側における流動層の厚さが適正値よりも薄いことを検出すると開作動し、供給側における流動層の厚さが適正値よりも厚いことを検出すると閉作動するように自動制御される。
【００２２】
一方、前記感知板３０に設けた各リード板３５は、選別胴１３内の供給側における混合米の流動層が薄いときには、選別胴１３の円周方向に対する傾斜角度が小さいか、傾斜角度が殆どない状態になっているから、選別胴１３内で流動する混合米は、この各リード板３５によって排出側に送られることは殆どないが、流動層の厚さの増大に追従して前記感知板３０が流動層の厚さが増大する方向に回動すると、これに設けた各リード板３５は、選別胴１３の円周方向に対する傾斜角度が大きくなるように作動するから、選別胴１３内で流動する混合米は、前記各リード板３５により、供給側から排出側に速やかに送られることになる。
【００２３】
つまり、供給側における流動層の厚さが薄い状態では、各リード板３５による排出側への移送を小さくして、選別胴１３内に混合米を溜めるようにし、供給側における流動層の厚さが厚くなると、感知板３０における各リード板３５の傾斜角度が大きくなることにより、混合米を、この各リード板３５にて積極的に排出側に移行することができるから、混合米が、含水率の高い混合米とか、未熟米の多い混合米等のように流れの悪い場合であっても、供給側における流動層の厚さを薄く、排出側における流動層の厚さを厚くするように均すことができるのである。
【００２４】
なお、前記カバーケース１２における後側板１２ｂには、前記選別胴１３に対する引き抜き用の開口部が穿設されると共に、この開口部を塞ぐ蓋板４４が着脱自在に取付けられ、この蓋板４４を取り外すことにより、前記選別胴１３を、図７に示すように、後方に引き抜くことができるように構成されており、この選別胴１３の引き抜きに際しては、前記玄米受樋２３における玄米受け板４２を、図２に二点鎖線で示すように、選別胴１３の回転と逆方向に回動することにより、当該玄米受け板４２が選別胴１３における堰板２０に接当しないようにする。
【００２５】
この場合において、選別胴１３の引き抜きを、玄米受け板４２の回動を必要とすることなく行うことができるようにするには、選別胴１３の排出側に設けられているリング状の堰板２０及び掬い上げ部材２１に、図８に示すように、切欠部２０ａ，２１ａを設けて、この切欠部２０ａ，２１ａ内を、前記玄米受け板４２の先端部が通過するように構成するか（なお、この切欠部２０ａ，２１ａ内には、図９に示すように、ブラシ２０ｂ，２１ｂを設けて、当該切欠部２０ａ，２１ａからの混合米の零れを阻止する）、或いは、図１０及び図１１に示すように、掬い上げ部材２１′を、選別胴１３の外周側に設ける一方、選別胴１３の円周方向に延びる堰板２０′を、混合米受樋２４又は玄米受樋２３に固着するように構成すれば良いのである。
【００２６】
次に、図１２〜図１５は、第２の実施例を示す。
この第２の実施例は、前記第１の実施例のように傾斜調節可能なリード板３５を備えた感知板３０が取付くセンサー軸３１と、玄米受樋２３における仕上げ調節板３８の支持軸３９とを、リンク機構４５を介して、感知板３０にて検出した流動層が厚くなると、仕上げ調節板３８が選別胴１３の回転と逆方向に回動し、流動層が薄くなると、仕上げ調節板３８が選別胴１３と回転方向に回動するように連動連結することに加えて、前記仕上げ調節板３８の支持軸３９と、前記籾すり部２における籾供給調節弁７とを、着脱自在な連結機構４６及びワイヤ４７を介して、感知板３０にて検出した流動層が厚くなると、籾供給調節板７が閉作動し、流動層が薄くなると、籾供給調節板７が開作動するように連動連結することにより、選別胴１３内における流動層の厚さに応じて、玄米受樋２３における仕上げ調節板３８と、籾すり部２における籾供給調節弁７とを自動制御するように構成したものである。
【００２７】
この場合、前記着脱自在な連結機構４６を、図１３及び図１４に示すように構成することにより、回転式選別装置３側における仕上げ調節板３８の支持軸３９と、籾すり部２側における籾供給調節弁７に対するワイヤ４７との連結を、ワンタッチで容易にできるようにする。
すなわち、回転式選別装置３側における仕上げ調節板３８の支持軸３９を、籾すり部２に向かって突出して、この突出端に、先端に連結ピン４８ａを備えたレバー４８を固着する一方、前記籾すり部２側には、連結軸４９を、前記支持軸３９に向かって突出するように固着し、この連結軸４９に、スリーブ体５０を回転及び摺動自在に被嵌し、このスリーブ体５０を、ばね５１にて突出方向に付勢し（なお、その突出位置は、連結軸５０に設けたストッパー片５２に規制される）、このスリーブ体５０に、前記支持軸３９側のレバー４８に設けたピン４８ａが着脱自在に嵌まるピン孔５３ａを備えたレバー５３と、先端に前記ワイヤ４７を連結したレバー５４とを固着すると言う構成にする。
【００２８】
このように構成することにより、風選箱１の上面に、籾すり部２と、回転式選別装置３とを取付けるに際して、先づ、籾すり部２を取付け、次いで、回転式選別装置３を取付けるとき、その仕上げ調節板３８の支持軸３９に固着したレバー４８における連結ピン４８ａを、籾すり部２側に取付けられているスリーブ体５０のレバー５３におけるピン孔５３ａに、スリーブ体５０をそのばね５１に抗して後退しながら差し込むことにより、回転式選別装置３側における仕上げ調節板３８の支持軸３９を、籾すり部２側にスリーブ体５０に対して、感知板３０が取付くセンサー軸３１の回転により仕上げ調節板３８及び籾供給調節弁７の両方を制御するように連結できるのである（この場合、風選箱１に対して、回転式選別装置３の方を先に取付け、その後において籾すり部２を取付けするようにしても良い）。
【００２９】
また、風選箱１から回転式選別装置３を取り外すか、籾すり部２を取り外すことにより、前記の連結関係を、図１５に示すように、切り離すことができるから、風選部１に対する籾すり部２及び回転式選別装置３の組立て及び分解を、籾すり部２及び回転式選別装置３の相互間の連結及び切離しをワンタッチにてできる状態のもとで簡単に行うことができるのである。
【図面の簡単な説明】
【図１】本発明の籾すり選別機の縦断正面図である。
【図２】図１のII−II視拡大断面図である。
【図３】制御の概略を示す斜視図である。
【図４】図２の要部を示す拡大図である。
【図５】図４のＶ−Ｖ視側面図である。
【図６】図４のVI−IV視断面図である。
【図７】選別胴を引き抜いている状態を示す図である。
【図８】別の選別胴における堰板と掬い上げ部材とを示す斜視図である。
【図９】更に選別胴における堰板と掬い上げ部材とを示す斜視図である。
【図１０】選別胴の別の例を示す縦断正面図である。
【図１１】図１０のXI−XI視断面図である。
【図１２】第２の実施例を示す斜視図である。
【図１３】第２の実施例における連結機構を示す縦断正面図である。
【図１４】図１３のXIV −XIV 視断面図である。
【図１５】前記連結機構を切り離した状態の縦断正面図である。
【符号の説明】
１              風選箱
２              籾すり部
３              回転式選別機構
５              籾供給ホッパー
７              籾供給調節弁
８              混合米風選部
９              玄米風選部
１０，１１      フアン
１３            選別胴
１８            壺孔
２２            シュート
２３            玄米受樋
３０            感知板
３１            センサー軸
３２            制御回路
３５            リード板
３８            仕上げ調節板
【図１】
0003640030.tif 000002
【図２】
0003640030.tif 000003
【図３】
0003640030.tif 000004
【図４】
0003640030.tif 000005
【図５】
0003640030.tif 000006
【図６】
0003640030.tif 000007
【図７】
0003640030.tif 000008
【図８】
0003640030.tif 000009
【図９】
0003640030.tif 000010
【図１０】
0003640030.tif 000011
【図１１】
0003640030.tif 000012
【図１２】
0003640030.tif 000013
【図１３】
0003640030.tif 000014
【図１４】
0003640030.tif 000015
【図１５】
0003640030.tif 000016